(57)【要約】【課題】オーガ式除雪機による除雪作業の効率化を図ること。【解決手段】除雪時に上から前下方へ向かって回転する正転オーガ４１と、該正転オーガに対し逆方向へ回転する逆転オーガ４２とが、同軸上に配置され、且つ機体１１の前部に位置しているオーガ式除雪機１０である。該逆転オーガの外径Ｄ１は、該正転オーガの外径Ｄ２よりも大径に設定されている。雪中の異物に対し、大径の該逆転オーガが該正転オーガよりも先に当たりやすい。該正転オーガによる異物の噛み込み現象の発生が抑制される。【選択図】図３
2015031064.tif 000002
【特許請求の範囲】
【請求項１】
除雪時に上から前下方へ向かって回転する正転オーガと、該正転オーガに対し逆方向へ回転する逆転オーガとが、同軸上に配置され、且つ機体の前部に位置しているオーガ式除雪機において、
前記逆転オーガの外径は、前記正転オーガの外径よりも大径であることを特徴とするオーガ式除雪機。
【発明の詳細な説明】
【技術分野】
【０００１】
本発明はオーガ式除雪機のオーガの改良技術に関する。
【背景技術】
【０００２】
除雪機のなかには、前進走行しつつ前部のオーガによって雪を掻き集め、掻き集めた雪をブロアによってシュータを介して遠くへ飛ばす型式の、いわゆるオーガ式除雪機がある。このオーガ式除雪機の技術は特許文献１から知られている。該特許文献１で知られているオーガ式除雪機は、除雪時に上から前の下方へ向かって回転する正転オーガと、該正転オーガに対し逆方向へ回転する逆転オーガとが、同軸上に配置され、且つ機体の前部に位置している。
【０００３】
一般に、逆転オーガは、除雪時に上から「後の下方」へ向かって回転するので、雪中の異物を前上方へ吐き出す傾向が強い。つまり、逆転オーガによる異物の噛み込み現象の発生は、比較的抑制されやすい。一方、正転オーガは、除雪時に上から「前の下方」へ向かって回転するので、異物に対する噛み込み現象が、逆転オーガに比べて発生する傾向にある。正転オーガによる異物の噛み込み現象の発生を、抑制することが、オーガ式除雪機による除雪作業の効率化を図る上で重要となる。
【先行技術文献】
【特許文献】
【０００４】
【特許文献１】特開２００４−３６０３７９号公報
【発明の概要】
【発明が解決しようとする課題】
【０００５】
本発明は、オーガ式除雪機による除雪作業の効率化を図ることができる技術を、提供することを課題とする。
【課題を解決するための手段】
【０００６】
請求項１に係る発明によれば、除雪時に上から前下方へ向かって回転する正転オーガと、該正転オーガに対し逆方向へ回転する逆転オーガとが、同軸上に配置され、且つ機体の前部に位置しているオーガ式除雪機において、前記逆転オーガの外径は、前記正転オーガの外径よりも大径であることを特徴とするオーガ式除雪機が提供される。
【発明の効果】
【０００７】
請求項１に係る発明では、除雪時に上から前の下方へ向かって回転する正転オーガと、該正転オーガに対し逆方向へ回転する逆転オーガとが、同軸上に配置され、且つ機体の前部に位置している。逆転オーガは、除雪時に上から「後の下方」へ向かって回転するので、雪中の異物を前上方へ吐き出す傾向が、正転オーガよりも強い。つまり、逆転オーガによる異物の噛み込み現象の発生は、正転オーガよりも抑制されやすい。このような該逆転オーガの外径が、正転オーガの外径よりも大径に設定されている。このため、雪中の異物に対し、大径の逆転オーガが正転オーガよりも先に当たりやすい。従って、正転オーガによる異物の噛み込み現象の発生を抑制することができる。結果として、全てのオーガによる異物の噛み込み現象の発生を、抑制することができる。このようにして、オーガ式除雪機による除雪作業の効率化を図ることができる。特に、比較的長い異物や大きい異物に対する、全ての噛み込み現象の発生を、抑制する効果が大きい。
【図面の簡単な説明】
【０００８】
【図１】本発明に係るオーガ式除雪機の側面図である。
【図２】図１に示されるオーガ駆動系をオーガ式除雪機の正面から見た模式図である。
【図３】図１に示されるオーガハウジング及びオーガをオーガ式除雪機の正面から見た図である。
【発明を実施するための形態】
【０００９】
本発明を実施するための形態を添付図に基づいて以下に説明する。なお、「前」、「後」、「左」、「右」、「上」、「下」は作業者から見た方向に従い、Ｆｒは前側、Ｒｒは後側、Ｌｅは左側、Ｒｉは右側を示す。
【実施例】
【００１０】
実施例に係るオーガ式除雪機について説明する。図１に示されるように、オーガ式除雪機１０は、機体１１（車体フレーム１１）に走行装置１２と除雪作業部１３と動力源１４とを備えた自走式除雪機である。機体１１の後部から後方上部へ操作ハンドル１５が延びている。作業者は、オーガ式除雪機１０（以下、単に「除雪機１０」という。）に連れて歩行しながら、操作ハンドル１５によって該除雪機１０を操作することができる。
【００１１】
該除雪作業部１３は、オーガハウジング２１、該オーガハウジング２１の後部に且つ幅方向中央に設けられたブロアハウジング２２、該オーガハウジング２１内に設けられたオーガ２３、該ブロアハウジング２２内に設けられたブロア２４、及び該ブロアハウジング２２から上方へ延びたシュータ２５からなる。
【００１２】
該動力源１４は、走行装置１２と除雪作業部１３を駆動するものであり、例えばエンジンによって構成される。該動力源１４の動力は、駆動プーリ３１と伝動ベルト３２と従動プーリ３３と伝動軸３４の経路によって、ブロア２４に伝わるとともに、該伝動軸３４からトランスミッション３５を介してオーガ２３に伝わる。オーガ２３によって掻き集めた雪を、ブロア２４によってシュータ２５を介して遠くへ飛ばすことができる。なお、走行装置１２は、電動モータによって駆動される構成であってもよい。
【００１３】
以下、該除雪作業部１３について詳しく説明する。ブロアハウジング２２は、機体１１に取り付けられている。ブロア２４は前記伝動軸３４に取り付けられている。該伝動軸３４の先端部には、トランスミッション３５の入力軸６１が連結されている。該トランスミッション３５は、オーガハウジング２１内に位置している。
【００１４】
図２及び図３に示されるように、オーガ２３は、除雪機１０（図１参照）による除雪時に、上から前下方（矢印Ｒａ方向）へ向かって回転する左右の正転オーガ４１，４１と、該左右の正転オーガ４１，４１に対し逆方向（矢印Ｒｂ方向）へ回転する左右の逆転オーガ４２，４２とからなる。
【００１５】
該左右の正転オーガ４１，４１は、オーガハウジング２１の幅方向中央寄りに位置しており、幅中心ＣＬに位置したトランスミッション３５を挟んで、互いに近接している。該左右の逆転オーガ４２，４２は、オーガハウジング２１の幅方向両側に位置している。つまり、該左右の逆転オーガ４２，４２は、該左右の正転オーガ４１，４１よりもオーガハウジング２１の幅方向外側に位置している。左の正転オーガ４１と左の逆転オーガ４２とは、軸長手方向に近接している。右の正転オーガ４１と右の逆転オーガ４２とは、軸長手方向に近接している。
【００１６】
以下、オーガ２３の回転方向については、除雪機１０による除雪時に、上から前下方、つまり矢印Ｒａ方向へ向かって（図１の反時計回りに）回転することを「正転」という。また、該左右の正転オーガ４１，４１に対して逆方向、つまり矢印Ｒｂ方向（図１の時計回りの方向）へ回転することを「逆転」という。
【００１７】
該左右の正転オーガ４１，４１は、左右の正転軸４３，４３に設けられている。詳しく述べると、該左右の正転オーガ４１，４１は、それぞれ２つの所定幅の帯板状の部材によってスパイラル状に構成されており、正転オーガ爪４１，４１ともいう。該左右の正転オーガ４１，４１のスパイラル方向は、該左右の正転オーガ４１，４１が正転することにより、破砕した雪をオーガハウジング２１の幅方向中央に寄せ集める方向である。
【００１８】
該左右の逆転オーガ４２，４２は、左右の逆転軸４４，４４に設けられている。詳しく述べると、該左右の逆転オーガ４２，４２は、それぞれ２つの所定幅の帯板状の部材によってスパイラル状に構成されており、逆転オーガ爪４２，４２ともいう。該左右の逆転オーガ４２，４２のスパイラル方向は、該左右の逆転オーガ４２，４２が逆転することにより、破砕した雪をオーガハウジング２１の幅方向中央に寄せ集める方向である。
【００１９】
該左右の正転軸４３，４３と該左右の逆転軸４４，４４とは、同軸上（図３に示される軸線Ｘｓ上）に配置されてオーガハウジング２１内の幅方向に１列に並んでいる。つまり、該左右の正転オーガ４１，４１と該左右の逆転オーガ４２，４２とは、同軸上（図３に示される軸線Ｘｓ上）に配置され、且つ機体１１（図１参照）の前部に位置している。
【００２０】
図２に示されるように、該左右の逆転軸４４，４４は、トランスミッション３５の逆転用駆動軸６２に相対回転可能に嵌合した、パイプ軸によって構成される。該逆転用駆動軸６２は、オーガハウジング２１の幅方向に延びており、入力軸６１に駆動力を入力することによって、逆転可能である。該逆転用駆動軸６２の軸長手方向の両端部には、左右の逆転用回転軸６３，６３が連結されている。該左右の逆転用回転軸６３，６３には、左右の逆転用シャーボルト６４，６４によって、左右の逆転軸４４，４４が連結されている。
【００２１】
さらに、トランスミッション３５は、左右の正転用駆動軸６５，６５を有する。該左右の正転用駆動軸６５，６５は、逆転用駆動軸６２に相対回転可能に嵌合したパイプ軸によって構成されており、入力軸６１に駆動力を入力することによって、正転可能である。該左右の正転用駆動軸６５，６５には、左右の正転用回転軸６６，６６が連結されている。該左右の正転軸４３，４３は、該左右の正転用駆動軸６５，６５に相対回転可能に嵌合した、パイプ軸によって構成される。該左右の正転用回転軸６６，６６には、左右の正転用シャーボルト６７，６７によって、左右の正転軸４３，４３が連結されている。
【００２２】
図３に示されるように、該左右の逆転オーガ４２，４２の外径Ｄ１は、該左右の正転オーガ４１，４１の外径Ｄ２よりも大径である。該左右の正転オーガ４１，４１と該左右の逆転オーガ４２，４２の回転速度は、全て同一である。
【００２３】
左右の逆転オーガ４２，４２によって破砕された雪は、左右の正転オーガ４１，４１に向かって掻き集められる。該集められた雪と、左右の正転オーガ４１，４１によって破砕された雪とは、該左右の正転オーガ４１，４１によってオーガハウジング２１の幅方向中央に掻き集められ、且つ後方のブロアハウジング２２（図１参照）に送られる。該ブロアハウジング２２に送られた雪は、図１に示されるブロア２４によってシュータ２５を介して遠くへ飛ばされる。
【００２４】
以上の説明をまとめると、次の通りである。除雪機１０の除雪時に、上から前の下方へ向かって回転する左右の正転オーガ４１，４１と、該左右の正転オーガ４１，４１に対し逆方向へ回転する左右の逆転オーガ４２，４２とが、同軸上に配置され、且つ機体１１の前部に位置している。
【００２５】
該左右の逆転オーガ４２，４２は、除雪時に上から「後の下方」へ、つまり矢印Ｒｂ方向へ向かって回転するので、雪中の異物を前上方へ吐き出す傾向が、該左右の正転オーガ４１，４１よりも強い。つまり、該左右の逆転オーガ４２，４２による異物の噛み込み現象の発生は、該左右の正転オーガ４１，４１よりも抑制されやすい。
【００２６】
一方、該左右の正転オーガ４１，４１は、除雪時に上から「前の下方」へ向かって回転するので、異物に対する噛み込み現象が、該左右の逆転オーガ４２，４２に比べて発生する傾向にある。該左右の正転オーガ４１，４１による異物の噛み込み現象の発生を、抑制することが、除雪機１０による除雪作業の効率化を図る上で重要となる。
【００２７】
これに対し、本実施例では、該左右の逆転オーガ４２，４２の外径Ｄ１が、該左右の正転オーガ４１，４１の外径Ｄ２よりも大径に設定されている。この場合において、該左右の正転オーガ４１，４１及び該左右の逆転オーガ４２，４２の形状や軸長手方向の幅は、外径Ｄ１，Ｄ２同士が同じ場合に対して、実質的に（基本的に）同じでよい。また、上述のように、該左右の正転オーガ４１，４１及び該左右の逆転オーガ４２，４２は、帯板状に構成されている。該帯板の幅や板厚も、外径Ｄ１，Ｄ２同士が同じ場合に対して、実質的に（基本的に）同じでよい。
【００２８】
このため、雪中の異物に対し、大径の左右の逆転オーガ４２，４２が左右の正転オーガ４１，４１よりも先に当たりやすい。従って、正転オーガ４１，４１による異物の噛み込み現象の発生を抑制することができる。結果として、全てのオーガ４１，４１，４２，４２による異物の噛み込み現象の発生を、抑制することができる。
【００２９】
このようにして、除雪機１０による除雪作業の効率化を図ることができる。特に、比較的長い異物や大きい異物に対する、全てのオーガ４１，４１，４２，４２の噛み込み現象の発生を、抑制する効果が大きい。
【００３０】
なお、本発明において、該左右の逆転オーガ４２，４２の外径Ｄ１が、該左右の正転オーガ４１，４１の外径Ｄ２よりも大径であれば、該左右の正転オーガ４１，４１及び該左右の逆転オーガ４２，４２の全体の形状や大きさは任意である。
【産業上の利用可能性】
【００３１】
本発明のオーガ式除雪機１０は、少なくともオーガ２３をエンジン１４によって駆動する除雪機に好適である。
【符号の説明】
【００３２】
１０  オーガ式除雪機
１１  機体
２１  オーガハウジング
２３  オーガ
４１  正転オーガ
４２  逆転オーガ
Ｄ１  逆転オーガの外径
Ｄ２  正転オーガの外径
【図１】
2015031064.tif 000003
【図２】
2015031064.tif 000004
【図３】
2015031064.tif 000005